(57)【要約】【課題】  夜間撮像時であっても鮮明に主要被写体及び背景を撮像した撮像画像を取得することができる撮像装置等を提供する。【解決手段】  ストロボ発光時に所定の短時間露光によって撮像された短時間露光画像と、当該短時間露光画像と同時に所定の長時間露光によって撮像された長時間露光画像とを取得し、短時間露光画像に含まれる主要被写体の輪郭を検出する輪郭検出処理（Ｓ２１）と、短時間露光画像と前記長時間露光画像との変倍比率を演算する比率演算処理（Ｓ２２，Ｓ２３，Ｓ２４）と、当該比率演算処理により演算された変倍比率に従って前記短時間露光画像の拡大又は前記長時間露光画像の縮小の少なくとも一方を行う拡大縮小処理（Ｓ２５）と、前記短時間露光画像に含まれる主要被写体を抽出した主要被写体画像を前記長時間露光画像に対して合成して、合成画像を作成する合成処理（Ｓ２６）とを行う。【選択図】      図６
2010081244.tif 000002
【特許請求の範囲】
【請求項１】
入射光を検出して撮像画像を取得する撮像手段と、
前記撮像手段の撮像範囲を含む領域に対してストロボ発光を行う発光手段と、
前記撮像手段及び前記発光手段を制御する制御手段と、
前記撮像手段により取得された撮像画像に対して画像処理を施す画像処理手段とを備え、
前記制御手段は、前記発光手段によってストロボ発光を行わせて前記撮像手段によって所定の短時間露光を行って短時間露光画像を取得させると共に、前記撮像手段によって所定の長時間露光を行って長時間露光画像を取得させ、
前記画像処理手段は、前記短時間露光画像に含まれる主要被写体の輪郭を検出する輪郭検出手段と、前記短時間露光画像と前記長時間露光画像との変倍比率を演算する比率演算手段と、当該比率演算手段により演算された変倍比率に従って前記短時間露光画像の拡大又は前記長時間露光画像の縮小の少なくとも一方を行う拡大縮小手段と、前記輪郭検出手段により検出された輪郭に基づいて前記短時間露光画像に含まれる主要被写体を抽出した主要被写体画像を、前記長時間露光画像に対して合成して、合成画像を作成する合成手段とを備えること
を特徴とする撮像装置。
【請求項２】
前記拡大縮小手段は、前記比率演算手段により演算された変倍比率に基づいて、前記短時間露光画像に含まれる主要被写体を拡大することを特徴とする請求項１に記載の撮像装置。
【請求項３】
前記拡大縮小手段は、前記比率演算手段により演算された変倍比率に基づいて、前記長時間露光画像に含まれる背景を縮小することを特徴とする請求項１に記載の撮像装置。
【請求項４】
前記輪郭検出手段は、前記短時間露光画像に含まれる主要被写体の輪郭と共に当該主要被写体と同じ前記長時間露光画像に含まれる主要被写体の輪郭を検出し、
前記比率演算手段は、前記輪郭検出手段により検出された、前記短時間露光画像に含まれる主要被写体の輪郭の大きさと前記長時間露光画像に含まれる主要被写体の輪郭の大きさとの相違に応じて変倍比率を決定すること
を特徴とする請求項１乃至請求項３の何れか一項に記載の撮像装置。
【請求項５】
前記比率演算手段は、前記主要被写体の顔の輪郭の大きさの相違に応じて変倍比率を決定することを特徴とする請求項４に記載の撮像装置。
【請求項６】
前記比率演算手段は、前記短時間露光画像に含まれる主要被写体の撮像状態に基づいて、当該撮像状態に対して一意に設定された変倍比率を決定することを特徴とする請求項１乃至請求項３の何れか一項に記載の撮像装置。
【請求項７】
前記比率演算手段は、前記短時間露光画像に含まれる主要被写体の割合が高いほど変倍比率を高くすることを特徴とする請求項６に記載の撮像装置。
【請求項８】
前記比率演算手段は、前記変倍比率を、所定の範囲内となるように制限することを特徴とする請求項４乃至請求項７の何れか一項に記載の撮像装置。
【請求項９】
前記画像処理手段は、前記比率演算手段により演算した変倍比率が所定の範囲内を超えている場合には、前記拡大縮小手段による画像の拡大又は縮小処理を禁止することを特徴とする請求項４又は請求項５に記載の撮像装置。
【請求項１０】
前記比率演算手段は、前記主要被写体の前記長時間露光画像内でのブレ量を打ち消すように変倍比率を演算することを特徴とする請求項１乃至請求項９の何れか一項に記載の撮像装置。
【請求項１１】
撮像指示に応じて、発光手段によってストロボ発光を行わせて所定の短時間露光を行って短時間露光画像を取得すると共に、ストロボ発光を行わせずに所定の長時間露光を行って長時間露光画像を取得し、
前記短時間露光画像と前記長時間露光画像との変倍比率を演算し、
当該演算された変倍比率に従って前記短時間露光画像の拡大又は前記長時間露光画像の縮小の少なくとも一方を行い、
前記短時間露光画像から抽出した主要被写体画像を、前記長時間露光画像に対して合成して、合成画像を作成すること
を特徴とする撮像方法。
【請求項１２】
コンピュータが実行する画像処理プログラムであって、
ストロボ発光時に所定の短時間露光によって撮像された短時間露光画像と、当該短時間露光画像と同時に所定の長時間露光によって撮像された長時間露光画像とを取得する画像取得処理と、
前記短時間露光画像に含まれる主要被写体の輪郭を検出する輪郭検出処理と、
前記短時間露光画像と前記長時間露光画像との変倍比率を演算する比率演算処理と、
当該比率演算処理により演算された変倍比率に従って前記短時間露光画像の拡大又は前記長時間露光画像の縮小の少なくとも一方を行う拡大縮小処理と、
前記短時間露光画像に含まれる主要被写体を抽出した主要被写体画像を前記長時間露光画像に対して合成して、合成画像を作成する合成処理と
をコンピュータに実行させることを特徴とする画像処理プログラム。
【発明の詳細な説明】
【技術分野】
【０００１】
本発明は、ストロボ発光を行って撮像画像を取得する撮像装置及び撮像方法、当該取得された撮像画像に対して画像処理を行う画像処理装置に関する。
【背景技術】
【０００２】
従来より、撮像装置の撮像モードとして、ストロボ発光を行い所定の長時間露光を行って撮像画像を取得するスローシンクロ撮影モードが知られている。このスローシンクロ撮影は、一度の撮影動作中に、ストロボ発光と長時間露光とを行う。具体的には、先ずストロボ発光を行うことによって被写体を明るく照射した状態で撮像装置の露光を開始し、そのまま長時間露光を行って低照度の背景に対して露光を行う。このスローシンクロ撮影によれば、ストロボによって高照度とされた被写体と低照度の背景との双方を明るく撮像した撮像画像を取得することができるとしている。
【０００３】
また、従来より、下記の特許文献１に記載されているように、被写体及び背景を明るく撮像する技術として、ストロボ光を照射した画像とストロボ光を照射していない画像とを用いた画像処理を行うことによって、夜景撮影時においても、自然で美しい夜景撮影画像を取得する技術が知られている。
【特許文献１】特開２００３−８７６４５号公報
【発明の開示】
【発明が解決しようとする課題】
【０００４】
上述したスローシンクロ撮影及び特許文献１に記載された技術では、夜間撮影時に、ストロボ光なしに表面照度が低い被写体（背景）を撮像するために長時間の露光を行う必要がある。しかしながら、長時間の露光を行っている最中に被写体が動いたり、撮像装置が手振れによって動いた場合には、入射光の入射位置が変動して撮像画像中の被写体にブレが発生してしまう。
【０００５】
具体的には、図１０（ａ）に示すようなストロボ光を被写体である人物に照射して撮像した撮像画像１００は、露光時間が短いために、人物画像１０１及び背景物体画像１０２の双方ともに画像ブレがないが、背景物体画像１０２の明度が低くなってしまう。そこで、露光時間を長くすることによって、図１０（ｂ）のように明度の高い背景物体１０２’を含む撮像画像１１０を得ることができる。しかし、この露光時間中に被写体である人物が動くと、人物画像１０１がぶれた結果としてのブレ成分１１１が発生してしまう。このようなブレ成分１１１は、上述した特許文献１に記載されているように、ストロボ光を照射した画像とストロボ光を照射していない画像とを重ね合わせる処理や人物部分を置換する処理では消すことができない。
【０００６】
そこで、本発明は、上述した実情に鑑みて提案されたものであり、夜間撮像時であっても鮮明に主要被写体及び背景を撮像した撮像画像を取得することができる撮像装置及び撮像方法、画像処理プログラムを提供することを目的とする。
【課題を解決するための手段】
【０００７】
第１の発明は、入射光を検出して撮像画像を取得する撮像手段と、前記撮像手段の撮像範囲を含む領域に対してストロボ発光を行う発光手段と、前記撮像手段及び前記発光手段を制御する制御手段と、前記撮像手段により取得された撮像画像に対して画像処理を施す画像処理手段とを備え、上述の課題を解決するために、前記制御手段が、前記発光手段によってストロボ発光を行わせて前記撮像手段によって所定の短時間露光を行って短時間露光画像を取得させると共に、前記撮像手段によって所定の長時間露光を行って長時間露光画像を取得させ、前記画像処理手段が、前記短時間露光画像に含まれる主要被写体の輪郭を検出する輪郭検出手段と、前記短時間露光画像と前記長時間露光画像との変倍比率を演算する比率演算手段と、当該比率演算手段により演算された変倍比率に従って前記短時間露光画像の拡大又は前記長時間露光画像の縮小の少なくとも一方を行う拡大縮小手段と、前記輪郭検出手段により検出された輪郭に基づいて前記短時間露光画像に含まれる主要被写体を抽出した主要被写体画像を、前記長時間露光画像に対して合成して、合成画像を作成する合成手段とを備えることを特徴とする。
【０００８】
第２の発明は、第１の発明において、前記拡大縮小手段が、前記比率演算手段により演算された変倍比率に基づいて、前記短時間露光画像に含まれる主要被写体を拡大することを特徴とする。
【０００９】
第３の発明は、第１の発明において、前記拡大縮小手段が、前記比率演算手段により演算された変倍比率に基づいて、前記長時間露光画像に含まれる背景を縮小することを特徴とする。
【００１０】
第４の発明は、第１の発明乃至第３の発明の何れかにおいて、前記輪郭検出手段が、前記短時間露光画像に含まれる主要被写体の輪郭と共に当該主要被写体と同じ前記長時間露光画像に含まれる主要被写体の輪郭を検出し、前記比率演算手段は、前記輪郭検出手段により検出された、前記短時間露光画像に含まれる主要被写体の輪郭の大きさと前記長時間露光画像に含まれる主要被写体の輪郭の大きさとの相違に応じて変倍比率を決定することを特徴とする。
【００１１】
第５の発明は、第４の発明において、前記比率演算手段が、前記主要被写体の顔の輪郭の大きさの相違に応じて変倍比率を決定することを特徴とする。
【００１２】
第６の発明は、第１の発明乃至第３の発明の何れかにおいて、前記比率演算手段が、前記短時間露光画像に含まれる主要被写体の撮像状態に基づいて、当該撮像状態に対して一意に設定された変倍比率を決定することを特徴とする。
【００１３】
第７の発明は、第６の発明において、前記比率演算手段が、前記短時間露光画像に含まれる主要被写体の割合が高いほど変倍比率を高くすることを特徴とする。
【００１４】
第８の発明は、第４の発明乃至第７の発明において、前記比率演算手段が、前記変倍比率を、所定の範囲内となるように制限する。
【００１５】
第９の発明は、第４の発明又は第５の発明において、前記画像処理手段が、前記比率演算手段により演算した変倍比率が所定の範囲内を超えている場合には、前記拡大縮小手段による画像の拡大又は縮小処理を禁止することを特徴とする。
【００１６】
第１０の発明は、第１の発明乃至第９の発明の何れかにおいて、前記比率演算手段が、前記主要被写体の前記長時間露光画像内でのブレ量を打ち消すように変倍比率を演算することを特徴とする。
【００１７】
第１１の発明は、撮像指示に応じて、発光手段によってストロボ発光を行わせて所定の短時間露光を行って短時間露光画像を取得すると共に、ストロボ発光を行わせずに所定の長時間露光を行って長時間露光画像を取得し、前記短時間露光画像と前記長時間露光画像との変倍比率を演算し、当該演算された変倍比率に従って前記短時間露光画像の拡大又は前記長時間露光画像の縮小の少なくとも一方を行い、前記短時間露光画像から抽出した主要被写体画像を、前記長時間露光画像に対して合成して、合成画像を作成することを特徴とする。
【００１８】
第１２の発明は、コンピュータが実行する画像処理プログラムであって、ストロボ発光時に所定の短時間露光によって撮像された短時間露光画像と、当該短時間露光画像と同時に所定の長時間露光によって撮像された長時間露光画像とを取得する画像取得処理と、前記短時間露光画像に含まれる主要被写体の輪郭を検出する輪郭検出処理と、前記短時間露光画像と前記長時間露光画像との変倍比率を演算する比率演算処理と、当該比率演算処理により演算された変倍比率に従って前記短時間露光画像の拡大又は前記長時間露光画像の縮小の少なくとも一方を行う拡大縮小処理と、前記短時間露光画像に含まれる主要被写体を抽出した主要被写体画像を前記長時間露光画像に対して合成して、合成画像を作成する合成処理とをコンピュータに実行させることを特徴とする。
【発明の効果】
【００１９】
本願発明によれば、ストロボ発光時に所定の短時間露光によって撮像された短時間露光画像と、当該短時間露光画像と同時に所定の長時間露光によって撮像された長時間露光画像とを取得し、短時間露光画像と長時間露光画像との変倍比率に従って短時間露光画像の拡大又は長時間露光画像の縮小の少なくとも一方を行って短時間露光画像に含まれる主要被写体画像を長時間露光画像に対して合成して、合成画像を作成するので、夜間撮像時であっても鮮明に主要被写体及び背景を撮像した撮像画像を取得することができる。
【発明を実施するための最良の形態】
【００２０】
以下、本発明の実施の形態について図面を参照して説明する。
【００２１】
［撮像装置の構成］
本発明は、例えば図１及び図２に示すように構成された撮像装置に適用される。図１は、本願発明に係る撮像装置に必要な最低限の機能を示したものであり、図２は、本願発明に係る撮像装置を構成するハードウェア的な一例を示す構成図である。
【００２２】
図１に示す撮像装置は、ＣＣＤ（Charge Coupled Device）１、撮像処理部２、ＤＲＡＭ３、画像処理部４及び外部メモリ５を備えて構成されている。このような撮像装置は、ＣＣＤ１によって受光した入射光に基づいて撮像信号を生成し、撮像処理部２によって所定の映像処理を施す。この撮像処理部２は、ＣＤＳ回路（相関二重サンプル回路）によるノイズ除去やサンプル・ホールド処理、ＡＧＣ（自動利得制御）アンプによる増幅、ＡＤＣ（Ａ／Ｄ変換器）処理などを行って、ディジタル方式の撮像画像データを生成する。そして、この撮像画像データは、一旦ＤＲＡＭ３に供給される。
【００２３】
ＤＲＡＭ３には、ストロボ撮影時に短露光時間で撮像された短時間露光（ストロボ撮影）画像、当該短時間露光画像から被写体を抽出した被写体抽出画像、ストロボ撮影時に上記の短時間露光よりも長い所定の長露光時間で撮像された長時間露光画像、画像処理結果としての合成画像が記録されている。
【００２４】
画像処理部４は、ＤＲＡＭ３に記録された画像を用いて所定の画像処理を行う。この画像処理部４による画像処理は、短時間露光画像に含まれる主要被写体の輪郭を検出する輪郭検出処理（１）、短時間露光画像と長時間露光画像との変倍比率を演算する比率演算処理、当該比率演算処理により演算された変倍比率に従って短時間露光画像の拡大と長時間露光画像の縮小の少なくとも一方の処理を施す拡大縮小処理、輪郭検出処理により検出された輪郭に基づいて短時間露光画像に含まれる主要被写体を抽出する処理（２）、抽出した主要被写体画像を長時間露光画像に対して合成して合成画像を作成する合成処理（３）を含む。このような画像処理によって得られた合成画像は、合成結果としてＤＲＡＭ３に記録される（４）。そして、この合成結果としての合成画像は、例えばユーザに確認するために表示処理などがなされ、画像処理部４によって所定の圧縮及び符号化処理が施されて（５）、外部メモリ５に記録される（６）。
【００２５】
図２に示した撮像装置は、撮像光学系１１と、上述のＣＣＤ１を含む撮像部１２と、撮像処理部１３と、メモリーカード１４と、上述の画像処理部４が行う各種処理を行うコンピュータである制御部１５と、キー入力部１６と、制御部１５が行う各種処理のための画像処理プログラム等を記憶するプログラムメモリ１７と、上述のＤＲＡＭ３に相当するデータメモリ１８と、画像圧縮部１９と、メイン表示処理部２０と、メイン表示部２１と、発光制御部２２と、内蔵発光駆動部２３と、内蔵発光部２４とを備える。
【００２６】
撮像光学系１１は、主として、モータ、レンズユニット等からなる。このレンズユニットは、外光を入射するための複数のレンズ群からなる。レンズユニットは、所定範囲の撮像領域の外光をＣＣＤ１に結像するための光学系である。レンズユニットは、図示しないシャッターユニット、絞りユニットを備えている。これらシャッターユニット、絞りユニットは、モータの駆動により合焦位置や絞り位置が移動される。特にシャッターユニットは、制御部１５による制御に従って露光時間が調整される。また、このレンズユニットは、制御部１５の制御に応じてズームアウト、ズームインを自在に実行し、撮影範囲を変化させることができるズームレンズも備えている。
【００２７】
撮像部１２は、ＣＣＤ１，制御部１５による制御に従って動作するコントローラと、Ａ／Ｄ変換処理回路等を含む。ＣＣＤ１は、例えばＲＧＢの原色系のカラーフィルタを形成している。ＣＣＤ１は、図示しないタイミング発生器及び垂直ドライバによって走査駆動される。ＣＣＤ１は、一定周期毎に結像した光像に対応する光電変換出力を１画面分出力する。
【００２８】
撮像部１２におけるコントローラ、後述する制御部１５の制御に従って、撮像光学系１１におけるレンズユニット及びＣＣＤ１の動作を制御する。Ａ／Ｄ変換処理回路は、サンプルホールド回路、Ａ／Ｄ変換器を含む。Ａ／Ｄ変換処理回路は、ＣＣＤ１から出力された光電変換出力に所望の処理を施す。具体的には、ＣＣＤ１からの光電変換出力に対して、アナログ値の信号の状態でＲＧＢの各原色成分毎に適宜ゲイン調整する。その後、サンプルホールド回路によってサンプルホールドし、Ａ／Ｄ変換器によってディジタル撮像画像データに変換し、撮像処理部１３に出力する。このような撮像光学系１１及び撮像部１２は、撮像画像を取得する撮像手段として機能する。
【００２９】
撮像処理部１３は、撮像部１２から供給された撮像画像データに対して所定の画像処理を施す。この撮像処理部１３は、例えば、ＲＧＢデータとして供給された撮像画像データを、輝度データ（Ｙ）と色差データ（Ｃｒ，Ｃｂ）とに変換する。そして、この輝度データ（Ｙ）、色差データ（Ｃｒ）、色差データ（Ｃｂ）は、撮像処理部１３によってデータメモリ１８に出力されて、当該データメモリ１８に格納される。なお、撮像処理部１３は、上記処理に加えて、必要に応じて画素補間処理、γ補正処理、及びマトリックス演算を行っても良い。
【００３０】
メモリーカード１４は、撮像装置に備えられたメモリーカード記録再生機構を含む。このメモリーカード１４は、制御部１５の制御に従って、当該撮像装置によって撮像された撮像画像データ、後述する画像処理が施された撮像画像データをメモリーカードに記録する。また、メモリーカード１４は、制御部１５の制御に従って、メモリーカードに記録された撮像画像データを再生して出力する。
【００３１】
制御部１５は、当該撮像装置を統括して制御する。制御部１５は、プログラムメモリ１７に記憶されたプログラムに従って動作することによって、当該撮像装置に必要な各種の制御を行う。
【００３２】
キー入力部１６は、当該撮像装置のユーザによって操作される。このキー入力部１６は、シャッター釦１６ａ、メニュー釦１６ｂ、十字キーなどの移動釦１６ｃ、決定釦１６ｄなどを含むキー群である。このキー入力部１６は、制御部１５に接続されており、各釦の操作内容を示す操作信号が制御部１５によって読み込まれる。
【００３３】
画像圧縮部１９は、制御部１５の制御に応じて、データメモリ１８に格納された撮像画像データに対してＪＰＥＧ（Joint Photograph coding Experts Group）規格に従ったＡＤＣＴ（Adaptive Discrete Cosine Transform：適応離散コサイン変換）処理を行って、データ圧縮をする。
【００３４】
メイン表示処理部２０は、撮像画像データに含まれる輝度データ（Ｙ）、色差データ（Ｃｒ、Ｃｂ）を定期的に読み出し、これらのデータを元にビデオ信号を発生してメイン表示部２１に出力する。
【００３５】
メイン表示部２１は、図示しないが、撮像装置の筐体の背面側に設けられている。メイン表示部２１は、撮影モード時にはモニタ表示部（電子ファインダ）として機能する。この撮影モード時において、メイン表示部２１は、メイン表示処理部２０からのビデオ信号に基づいた表示を行う。これにより、撮像装置は、その時点でメイン表示処理部２０から取り込んでいる画像をリアルタイムに表示する。
【００３６】
このように、メイン表示部２１に、その時点での撮像画像がモニタ画像としてリアルタイムに表示されている、いわゆるスルー画像の表示状態で、撮像装置は、撮像可能な状態となる。そして、撮影を行いたいタイミングで、キー入力部１６のうちの一つであるシャッター釦１６ａが操作されると、制御部１５に対してトリガ信号が発生される。制御部１５は、このトリガ信号に応じて、その時点で撮像光学系１１から取り込んでいる１画面分のＲＧＢデータを、輝度データ（Ｙ）及び色差データ（Ｃｂ、Ｃｒ）によって変換（分離）させて、データメモリ１８に格納させる。
【００３７】
発光制御部２２は、制御部１５の制御に従って、内蔵発光駆動部２３によって内蔵発光部２４のストロボ発光動作を行わせる。
【００３８】
内蔵発光駆動部２３は、静止画撮影時に図示しないストロボ用の大容量コンデンサを充電した上で、発光制御部２２を介した制御部１５からの制御に応じて内蔵発光部２４をストロボ発光させる。また、動画像の撮影時においては、１回目のシャッター釦１６ａが操作された時点で、上述した静止画の撮像画像データを画像圧縮部１９でデータ圧縮してデータメモリ１８に記録を開始する。以降、所定のフレームレート、例えば３０（フレーム／秒）でこの処理を連続して実行し、２回目にシャッターキーが操作されるか、また所定の制限時間、例えば、３０秒が経過した時点でそれら一連の静止画データファイルを一括してモーションＪＰＥＧのデータファイル（ＡＶＩファイル）として設定し直す。
【００３９】
上述した撮像装置は、制御部１５がプログラムメモリ１７に記憶されたプログラムに従った処理を行うことにより、夜間撮像時であっても鮮明な主要被写体及び背景を含む撮像画像データを得ることができる。特に、制御部１５は、撮像光学系１１，撮像部１２及び撮像処理部１３（撮像手段）により取得された撮像画像データに対して画像処理を施す（画像処理手段）。このとき、制御部１５は、発光制御部２２，内蔵発光駆動部２３及び内蔵発光部２４（発光手段）によってストロボ発光を行わせて撮像光学系１１，撮像部１２及び撮像処理部１３（撮像手段）によって所定の短時間露光を行って短時間露光画像を取得させると共に、撮像光学系１１，撮像部１２及び撮像処理部１３（撮像手段）によって所定の長時間露光を行って長時間露光画像を取得させる。そして、制御部１５は、画像処理プログラムを実行することによって、短時間露光画像に含まれる主要被写体の輪郭を検出する輪郭検出処理と、短時間露光画像と長時間露光画像との変倍比率を演算する比率演算処理と、当該比率演算手段により演算された変倍比率に従って短時間露光画像の拡大と長時間露光画像の縮小との少なくとも一方の処理を施す拡大縮小処理と、輪郭検出処理により検出された輪郭に基づいて短時間露光画像に含まれる主要被写体を抽出した主要被写体画像を、長時間露光画像に対して合成して、合成画像を作成する合成処理とを行う。
【００４０】
具体的には、ストロボ発光を行って所定の短露光時間（例えば１／６０秒）の撮像処理で得られる短時間露光画像１００は、図３（ａ）に示すように、主要被写体である人物画像１０１の明度が高く、当該人物画像１０１の背景物体画像１０２の明度は低くなってしまう。これに対し、撮像装置は、所定の長時間露光を行って長時間露光画像を取得させる。この長時間露光画像は、図示しないが、短時間露光画像１００に現れる背景物体画像１０２の明度よりも高い明度の背景物体画像が含まれる。
【００４１】
そして、制御部１５は、図３（ａ）の短時間露光画像１００に対し、当該短時間露光画像１００に含まれる人物画像１０１の輪郭を検出して、人物画像１０１を抽出した短時間露光画像１１０を作成する。次に、制御部１５は、短時間露光画像と長時間露光画像との変倍比率を演算し、演算された変倍比率に従って短時間露光画像１１０に対して画像の拡大処理を施して、図３（ｃ）に示すように、拡大された人物画像１０１’を含む短時間露光画像１１０’を作成する。次に、制御部１５は、図３（ｄ）のように、長時間露光画像のうちの輪郭検出処理により検出された輪郭位置に、拡大されに人物画像１０１’を合成して、合成画像１２０を作成する合成処理とを行う。ここで、長時間露光画像は、明度が高い背景物体１０２’を含んでいるので、合成画像１２０は、明度が共に高い人物画像１０１’及び背景物体画像１０２’を含んだ映像となる。このように、制御部１５は、夜間撮像時であっても鮮明に主要被写体及び背景を撮像した撮像画像を取得することができる。
【００４２】
また、合成画像１２０は、長時間露光画像を撮像した時に、人物が動いたり撮像装置を持つ手に手振れがあって長時間露光画像に含まれる人物にブレがあっても、人物画像１０１を拡大しているために、当該ブレが現れていない。すなわち、制御部１５は、主要被写体（人物）の長時間露光画像内でのブレ量を打ち消すように変倍比率を演算して、人物画像を拡大することにより、長時間露光画像に有られていたブレに起因する画像成分を打ち消すことができる。
【００４３】
このように構成された撮像装置は、当該撮像装置がユーザに把持されて被写体を撮像する操作が行われる時に、図４乃至図６に示す処理を行うことによって、撮像画像データを取得する。
【００４４】
図４に示すように、撮像装置の電源が投入されると、撮像装置は、ステップＳ１において、イニシャライズ処理を行う。制御部１５は、このイニシャライズ処理によって、撮像装置の撮像条件や撮像画像データの保存条件などを所定の初期値に設定する。
【００４５】
次のステップＳ２において、撮像装置は、イニシャライズ処理が完了したことに応じて通常撮影モードに設定される。この通常撮影モードは、初期状態の撮像条件に従って撮像処理を行って、メモリーカード１４に撮像画像データを保存する撮影モードである。
【００４６】
次のステップＳ３において、撮像装置は、キー入力部１６におけるメニュー釦１６ｂ、移動釦１６ｃ及び決定釦１６ｄに対する操作に従った操作信号を制御部１５が検出し、撮像装置の撮影モードを夜間被写体ブレ修正撮影モードに切り換えられる。この夜間被写体ブレ修正撮影モードは、夜間におけるストロボ撮影時に、短時間露光画像及び長時間露光画像を取得して合成画像を作成する処理である。なお、このステップＳ３の処理については、図５に示したサブルーチンを参照して後述するものとする。そして、撮像装置は、その他のキー処理によって通常撮影モードに切り換えられると、ステップＳ２に処理を戻す。
【００４７】
図５に示す夜間被写体ブレ修正撮影モードは、所定期間ごとに実行される。先ずステップＳ１１において、制御部１５は、当該夜間被写体ブレ修正撮影モードがオンであるか否かを判定する。夜間被写体ブレ修正撮影モードがオンである場合にはステップＳ１２に処理を進め、夜間被写体ブレ修正撮影モードがオンではない場合にはこのサブルーチンを終了する。
【００４８】
ステップＳ１２において、制御部１５は、シャッター釦１６ａが押圧操作されたか否かを判定する。制御部１５は、シャッター釦１６ａが操作されたことによって発生したトリガ信号を受信した場合にはステップＳ１３に処理を進め、夜間被写体ブレ修正撮影モードを実行する所定期間に亘ってトリガ信号が受信できなかった場合には処理を終了する。
【００４９】
ステップＳ１３において、制御部１５は、撮像光学系１１におけるフォーカスレンズを移動させるように駆動モータを制御して、主要被写体に焦点を合わせるＡＦ処理を実行する。
【００５０】
次のステップＳ１４において、制御部１５は、撮像装置の撮影環境における暗さ測定（ＥＶ計測）を行う。このとき、制御部１５は、図示しない明るさセンサの出力信号を検出して暗さ測定を行っても良く、スルー画像として表示させている撮像画像データに含まれる画素の輝度信号を解析して暗さ測定を行っても良い。
【００５１】
次のステップＳ１５において、撮像装置は、内蔵発光部２４からストロボ光を発光するフラッシュ発光を行う。このとき、制御部１５は、発光制御部２２に対して制御信号を供給することによって、内蔵発光駆動部２３を駆動させて内蔵発光部２４からストロボ光を発光させる。また、撮像装置は、フラッシュ発光と同時に、撮像光学系１１におけるシャッター機構を開動作させることにより、撮像部１２におけるＣＣＤ１を露光状態とする。そして、制御部１５は、所定の短露光時間の露光によって撮像部１２及び撮像処理部１３によって生成された撮像画像データ（短時間露光画像）がデータメモリ１８に記録されることによって、当該短時間露光画像を取得することができる。この所定の短露光時間は、例えば１／６０［ｓｅｃ］である。
【００５２】
次のステップＳ１６において、制御部１５は、ステップＳ１４にて計測した暗さに応じた長露光時間に亘って露光した結果としての撮像画像データ（長時間露光画像）を取得する。ここで、撮像環境が暗いほど、長露光時間を長くする。これは、主要被写体の背景に存在する背景物体を鮮明に撮像するためである。このようなステップＳ１５及びステップＳ１６により、撮像装置は、一度の露光動作によって短時間露光画像と長時間露光画像との２枚の画像をデータメモリ１８に格納する。
【００５３】
次のステップＳ１７において、制御部１５は、ステップＳ１５にて取得した短時間露光画像内に含まれる主要被写体の輪郭を認識する。このとき、制御部１５は、短時間露光画像に対してエッジ抽出処理を施す。これにより、制御部１５は、明度の高い主要被写体画像と明度の低い背景画像とを切り分けて、主要被写体画像の輪郭を表す座標情報を取得する。
【００５４】
次のステップＳ１８において、制御部１５は、短時間露光画像に含まれる主要被写体画像を長時間露光画像に対して合成して合成画像を作成する合成処理を行い、ステップＳ１９においては、ステップＳ１８にて主要被写体が合成された長時間露光画像を撮像画像としてメモリーカード１４に保存して処理を終了する。
【００５５】
このステップＳ１８における合成処理は、図６に示す合成処理と、図９に示す合成処理との何れかの処理が行われる。図６に示す合成処理は、長時間露光画像に含まれる主要被写体のブレを考慮して、短時間露光画像の拡大又は長時間露光画像の縮小の変倍比率を決定して合成を行う。一方、図９に示す合成処理は、長時間露光画像に含まれる主要被写体のブレに拘わらず短時間露光画像の拡大又は長時間露光画像の縮小の変倍比率を一意に決定して合成を行う。
【００５６】
図６に示す合成処理は、先ずステップＳ２１において、ステップＳ１７にて短時間露光画像上で認識された主要被写体の輪郭を用いて、長時間露光画像上での主要被写体の輪郭を認識する。ここで、短時間露光画像の画像サイズと長時間露光画像の画像サイズとが同一である。したがって、短時間露光画像から取得した主要被写体の輪郭を表す座標情報に対応した長時間露光画像上の座標付近が、当該長時間露光画像に含まれる主要被写体の輪郭となる。
【００５７】
次のステップＳ２２において、制御部１５は、ステップＳ２１で認識した長時間露光画像内の主要被写体の輪郭における画像情報から、短時間露光画像内の主要被写体画像と長時間露光画像内の主要被写体画像とが同じ大きさとなる拡大又は縮小倍率である変倍比率を求める。ここで、短時間露光画像の主要被写体の輪郭における色情報と、長時間露光画像の主要被写体の輪郭における色情報とはほぼ同一となる。このことから、制御部１５は、短時間露光画像に含まれる主要被写体の輪郭と、長時間露光画像に含まれる主要被写体のブレ幅を含む輪郭との変倍比率を求める。
【００５８】
例えば、図８（ａ）に示す短時間露光画像１００と、図８（ｂ）に示す長時間露光画像１１０とが取得されたとする。ここで、短時間露光画像１００の主要被写体画像１０１にはブレ成分がなく、長時間露光画像１１０の主要被写体画像には、１０１’−１乃至１０１’−２の範囲で示すブレ成分が含まれている。また、制御部１５は、短時間露光画像１００に含まれる主要被写体画像１０１の輪郭を示す画像情報１０１ａを取得している。当該画像情報１０１ａの座標に対応した長時間露光画像１１０内の座標に、長時間露光画像１１０における画像情報１０１ａ’が存在する。そして、制御部１５は、当該長時間露光画像１１０内の画像１０１ａ’から当該主要被写体画像の外側に向けて走査した色情報が、背景画像のものであるか否かを判定する。このとき、制御部１５は、主要被写体画像の外側に向けて色情報を走査し、初めて色情報が明度の低いものであると判定した座標位置を、長時間露光画像１１０における主要被写体画像の輪郭であると判定する。そして、制御部１５は、短時間露光画像１００に含まれる主要被写体の輪郭で決まる大きさと、長時間露光画像１１０に含まれる主要被写体の輪郭で決まる大きさとの比率を、合成処理のための変倍比率とする。したがって、長時間露光画像１１０に含まれる主要被写体画像のブレ成分が大きいほど、変倍比率は大きくなる。ここで、変倍比率は、短時間露光画像内の主要被写体画像を拡大させる場合には拡大倍率であり、長時間露光画像を縮小させる場合には縮小倍率である。
【００５９】
制御部１５は、主要被写体画像全体の大きさから変倍比率を設定するのではなく、主要被写体画像の顔の輪郭同士の大きさの相違に応じて変倍比率を決定しても良い。例えば、主要被写体である人物の手足部分のみが長露光時間内に大きく動いた場合、主要被写体の顔部分にはブレが無いが、手足部分には大きなブレがある。このような主要被写体を撮像した短時間露光画像及び長時間露光画像を用いて、手足部分の大きなブレに合わせて変倍比率を演算すると、非常に大きな変倍比率となり、拡大又は縮小して合成した合成画像が不自然なものとなる。このようなことから、制御部１５は、短時間露光画像と長時間露光画像との顔部分の輪郭から変倍比率を設定することによって、適切な範囲の変倍比率を設定することができる。
【００６０】
次のステップＳ２３及びステップＳ２４において、制御部１５は、ステップＳ２２にて決定した変倍比率が所定のしきい値の範囲以内であるか否かを判定する。このしきい値は、図７に示すように、第１しきい値Ｔｈ１及び第２しきい値Ｔｈ２が設定されている。取得した変倍比率と比較されるしきい値は、短時間露光画像に含まれる主要被写体画像を拡大する時における第１しきい値Ｔｈ１及び第２しきい値Ｔｈ２であっても良く、長時間露光画像を縮小する時における第１しきい値Ｔｈ１及び第２しきい値Ｔｈ２であっても良い。このように、短時間露光画像内の主要被写体画像の拡大又は長時間露光画像の縮小を行う変倍比率を、所定の範囲内となるように制限して、合成画像が不自然な絵柄となることを回避する。
【００６１】
短時間露光画像を拡大する時の第１しきい値Ｔｈ１及び第２しきい値Ｔｈ２を用いた場合、ステップＳ２３においては、ステップＳ２２にて取得した拡大比率と第１しきい値Ｔｈ１とを比較し、ステップＳ２４においては、ステップＳ２２にて取得した拡大比率と第２しきい値Ｔｈ２とを比較する。拡大比率が第１しきい値Ｔｈ１よりも大きい場合、合成処理は終了される。拡大比率が第１しきい値Ｔｈ１よりも大きくないが第２しきい値Ｔ２よりも小さい場合にも、合成処理は終了される。拡大比率が第１しきい値Ｔｈ１よりも大きくなく第２しきい値Ｔｈ２よりも小さくない場合、すなわち拡大比率が第１しきい値Ｔｈ１と第２しきい値Ｔｈ２との中間値である場合には、ステップＳ２５に処理を進める。
【００６２】
長時間露光画像を縮小する時の第１しきい値Ｔｈ１及び第２しきい値Ｔｈ２を用いた場合、図６中かっこ内に示すように、ステップＳ２３においては、ステップＳ２２にて取得した縮小比率と第１しきい値Ｔｈ１とを比較し、ステップＳ２４においては、ステップＳ２２にて取得した縮小比率と第２しきい値Ｔｈ２とを比較する。縮小比率が第１しきい値Ｔｈ１よりも小さい場合、合成処理は終了される。縮小比率が第１しきい値Ｔｈ１よりも小さくないが第２しきい値Ｔ２よりも大きい場合にも、合成処理は終了される。縮小比率が第１しきい値Ｔｈ１よりも小さくなく第２しきい値Ｔｈ２よりも大きくない場合、すなわち縮小比率が第１しきい値Ｔｈ１と第２しきい値Ｔｈ２との中間値である場合には、ステップＳ２５に処理を進める。
【００６３】
ステップＳ２３の判定結果が肯定判定となった場合は、長時間露光画像内の主要被写体画像のブレ成分が大きすぎて、短時間露光画像内の主要被写体画像と長時間露光画像内の主要被写体画像との大きさの相違が大きい。したがって、制御部１５は、演算した変倍比率が、所定のしきい値の範囲内を超えている場合には、画像の拡大又は縮小処理を禁止して、合成処理を終了させる。これにより、主要被写体が合成画像内で大きくなりすぎる合成画像を作成することを禁止できる。
【００６４】
同様に、ステップＳ２４の判定結果が肯定判定となった場合は、長時間露光画像内の主要被写体画像のブレ成分がほとんどない。したがって、制御部１５は、短時間露光画像内の主要被写体画像を長時間露光画像に合成する処理をする必要はないので、合成処理を終了することができる。
【００６５】
ステップＳ２５において、制御部１５は、ステップＳ２２にて取得された変倍比率に応じて短時間露光画像内の主要被写体画像を拡大させる。次のステップＳ２６において、制御部１５は、ステップＳ２５にて拡大させた短時間露光画像内の主要被写体画像を長時間露光画像内の主要被写体画像部分に上書きするように合成処理を行う。このとき、制御部１５は、短時間露光画像内の主要被写体画像を抽出した後に拡大させても良く、短時間露光画像自体を拡大した後に主要被写体画像を抽出しても良い。
【００６６】
なお、主要被写体が人物であり、当該人物を拡大する場合には、当該人物の中心から左右上下に均等に拡大させることが望ましい。また、ステップＳ２６にて合成する時に、短時間露光画像から主要被写体を抽出する又は長時間露光画像から背景画像を抽出する処理ではなく、短時間露光画像の背景画像部分を透明化する又は長時間露光画像の主要被写体部分を透明化する処理を行っても良い。
【００６７】
長時間露光画像を縮小させる場合、ステップＳ２５において、制御部１５は、ステップＳ２２にて取得された変倍比率に応じて長時間露光画像を縮小させる。次のステップＳ２６において、制御部１５は、短時間露光画像内の背景画像部分をステップＳ２５にて縮小させた長時間露光画像に上書きするように合成処理を行う。なお、制御部１５は、長時間露光画像の主要被写体のブレ量に相当する縮小倍率で長時間露光画像の背景を縮小できる場合には、ステップＳ２５にて縮小させた長時間露光画像を短時間露光画像内の背景画像部分に上書きする処理を行っても良い。
【００６８】
なお、このステップＳ２５及びステップＳ２６においては、短時間露光画像又は長時間露光画像の一方のみを拡大又は縮小させる処理について説明したが、短時間露光画像内の主要被写体画像を拡大させると同時に長時間露光画像の背景画像を縮小しても良い。例えば短時間露光画像内の主要被写体画像と長時間露光画像内の主要被写体画像との比率が１：１．２である場合には、短時間露光画像内の主要被写体画像を１１０％に拡大すると同時に長時間露光画像の背景画像を９０％に縮小することとなる。
【００６９】
以上説明したように、図６に示した合成処理を行う撮像装置によれば、夜間撮像時であっても鮮明に主要被写体及び背景を撮像した撮像画像を取得することができる。
【００７０】
つぎに、図９を参照して、長時間露光画像に含まれる主要被写体のブレに拘わらず短時間露光画像及び／又は長時間露光画像の変倍比率を一意に決定して合成を行う合成処理について説明する。
【００７１】
この合成処理は、先ずステップＳ３１において、制御部１５によって、ステップＳ１７にて短時間露光画像上で認識した主要被写体の輪郭を用いて、当該主要被写体の大きさを判定する。
【００７２】
次のステップＳ３２乃至ステップＳ３９において、制御部１５は、短時間露光画像に含まれる主要被写体の撮像状態に基づいて、当該撮像状態に対して一意に設定された変倍比率を決定する。具体的には、短時間露光画像に含まれる主要被写体画像の割合が高いほど変倍比率を高くする。すなわち、短時間露光画像に含まれる主要被写体画像の割合が高いほど拡大倍率を高くし又は縮小比率を低くする。この場合であっても、変倍比率は、所定の範囲になるように設定される。例えば、制御部１５は、短時間露光画像に含まれる主要被写体である人物が、短時間露光画像内において小さなサイズで全身が撮像されたものであるか否か（ステップＳ３２）、大きなサイズで全身が撮像されたものであるか否か（ステップＳ３４）、上半身だけが撮像されたものであるか否か（ステップＳ３６）、肩上のみが撮像されたものであるか否か（ステップＳ３８）を判定する。
【００７３】
短時間露光画像に含まれる主要被写体である人物が、短時間露光画像内において小さなサイズで全身が撮像されたものである場合には、ステップＳ３３において短時間露光画像内の主要被写体画像の拡大倍率を１０５％とする。短時間露光画像に含まれる主要被写体である人物が、大きなサイズで全身が撮像されたものである場合には、ステップＳ３４において短時間露光画像内の主要被写体画像の拡大倍率を１１０％とする。短時間露光画像に含まれる主要被写体である人物が、上半身だけが撮像されたものである場合には、ステップＳ３６において短時間露光画像内の主要被写体画像の拡大倍率を１２０％とする。短時間露光画像に含まれる主要被写体である人物が、肩上のみが撮像されたものである場合には、ステップＳ３８において短時間露光画像内の主要被写体画像の拡大倍率を１３０％とする。
【００７４】
なお、長時間露光画像を縮小する時には、図中かっこ内に示すように、短時間露光画像に含まれる主要被写体である人物が、短時間露光画像内において小さなサイズで全身が撮像されたものである場合には、ステップＳ３３において長時間露光画像の縮小倍率を９５％とする。短時間露光画像に含まれる主要被写体である人物が、大きなサイズで全身が撮像されたものである場合には、ステップＳ３４において長時間露光画像の背景画像の縮小倍率を９０％とする。短時間露光画像に含まれる主要被写体である人物が、上半身だけが撮像されたものである場合には、ステップＳ３６において長時間露光画像の背景画像の縮小倍率を８０％とする。短時間露光画像に含まれる主要被写体である人物が、肩上のみが撮像されたものである場合には、ステップＳ３８において長時間露光画像の背景画像の縮小倍率を７０％とする。
【００７５】
このように制御部１５は、短時間露光画像内の主要被写体画像が大きいほど、長時間露光画像内の主要被写体画像のブレ量も大きくなるので、拡大倍率も大きくする。例えば、長露光時間内に主要被写体である人物が顔を５ｃｍだけ動かした場合、全身が撮像されている時にはブレ量が小さいが、上半身や肩上のみが撮像されている時にはブレ量が大きくなることによる。なお、全身の大小、上半身のみ、肩上のみで撮像されている状況に応じて拡大倍率を変更したが、短時間露光画像内での人物が非常に小さい場合や、大きすぎる場合には、短時間露光画像内の主要被写体画像の拡大又は長時間露光画像の背景画像の縮小の処理をしないこととしている。
【００７６】
次のステップＳ４０において、制御部１５は、取得された変倍比率に応じて短時間露光画像内の主要被写体画像を拡大させる。次のステップＳ４１において、制御部１５は、ステップＳ４０にて拡大させた短時間露光画像内の主要被写体画像を長時間露光画像内の主要被写体画像部分に上書きするように合成処理を行う。このとき、制御部１５は、短時間露光画像内の主要被写体画像を抽出した後に拡大させても良く、短時間露光画像自体を拡大した後に主要被写体画像を抽出しても良い。
【００７７】
長時間露光画像を縮小させる場合、ステップＳ４０において、制御部１５は、取得された変倍比率に応じて長時間露光画像を縮小させる。次のステップＳ４１において、制御部１５は、短時間露光画像内の背景画像部分をステップＳ４０にて縮小させた長時間露光画像に上書きするように合成処理を行う。なお、制御部１５は、短時間露光画像に対して、縮小した長時間露光画像の背景を重ね合わせても良い。この場合、長時間露光画像の縮小量が短時間露光画像の主要被写体のブレ量よりも大きい時に、短時間露光画像に縮小後の長時間露光画像の背景を重ね合わせると、長時間露光画像の背景が短時間露光画像主要被写体に被ってしまう。したがって、短時間露光画像に縮小後の長時間露光画像の背景を重ね合わせる時にはこのような合成処理にならないように、長時間露光画像の縮小倍率を考慮する必要がある。
【００７８】
なお、このステップＳ４０及びステップＳ４１においては、短時間露光画像又は長時間露光画像の一方のみを拡大又は縮小させる処理について説明したが、短時間露光画像内の主要被写体画像を拡大させると同時に長時間露光画像の背景画像を縮小しても良い。例えば短時間露光画像内の主要被写体画像と長時間露光画像内の主要被写体画像との比率が１：１．２である場合には、短時間露光画像内の主要被写体画像を１１０％に拡大すると同時に長時間露光画像の背景画像を９０％に縮小することとなる。
【００７９】
このような図９に示した合成処理を行う撮像装置によれば、夜間撮像時であっても鮮明に主要被写体及び背景を撮像した撮像画像を取得することができる。また、短時間露光画像内の主要被写体画像と長時間露光画像内の主要被写体画像とのサイズ同士を比較するなどの処理を行う必要がないので、処理負担を少なくできる。
【００８０】
なお、上述した図６，図９に示した合成処理において、短時間露光画像に複数の人物が存在する場合には、当該人物ごとに変倍比率を設定する事が望ましい。この時、人物ごとに長時間露光画像内のブレ量が大きく異なることがあるが、各人物間での変倍比率の相違を所定の範囲内に制限することによって、合成画像における違和感を低減できる。これにより、長露光時間内に動きがある主要被写体が複数存在する場合でも、鮮明な主要被写体及び背景を含む撮像画像を取得することができる。
【００８１】
以上説明したように、この撮像装置によれば、ストロボ発光時に所定の短時間露光によって撮像された短時間露光画像と、当該短時間露光画像と同時に所定の長時間露光によって撮像された長時間露光画像とを取得し、短時間露光画像と長時間露光画像との変倍比率に従って短時間露光画像の拡大又は長時間露光画像の縮小の少なくとも一方を行って短時間露光画像に含まれる主要被写体画像を長時間露光画像に対して合成して、合成画像を作成するので、夜間撮像時であっても鮮明に主要被写体及び背景を撮像した撮像画像を取得することができる。
【００８２】
また、この撮像装置によれば、演算された変倍比率に基づいて、短時間露光画像に含まれる主要被写体を拡大するので、当該主要被写体の拡大分によってブレ成分を打ち消すことができ、鮮明な主要被写体及び背景の撮像画像を取得することができる。
【００８３】
更に、この撮像画像によれば、演算された変倍比率に基づいて、長時間露光画像を縮小するので、背景の縮小分によって主要被写体のブレ成分を打ち消すことができる。
【００８４】
更に、この撮像装置によれば、短時間露光画像に含まれる主要被写体の輪郭と共に当該主要被写体と同じ長時間露光画像に含まれる主要被写体の輪郭を検出し、短時間露光画像に含まれる主要被写体の輪郭の大きさと長時間露光画像に含まれる主要被写体の輪郭の大きさとの相違に応じて変倍比率を決定するので、当該相違と同じサイズのブレ成分を打ち消すことができる。
【００８５】
更にまた、この撮像装置によれば、主要被写体の顔の輪郭の大きさの相違に応じて変倍比率を決定するので、動きが多い手足のブレ成分に応じて短時間露光画像内の主要被写体の拡大又は長時間露光画像の縮小を行うことなく、合成画像が不自然な絵柄となることを回避できる。
【００８６】
更にまた、この撮像装置によれば、短時間露光画像に含まれる主要被写体の撮像状態に基づいて、当該撮像状態に対して一意に設定された変倍比率を決定するので、主要被写体の撮像状態によって異なるブレ量を打ち消すように合成画像を作成できる。また、変倍比率を演算する処理量を削減できる。
【００８７】
更にまた、この撮像装置によれば、短時間露光画像に含まれる主要被写体の割合が高いほど変倍比率を高くするので、主要被写体の割合が高いほど大きくなるブレ量を打ち消すように合成画像を作成することができる。
【００８８】
更にまた、この撮像装置によれば、変倍比率を、所定の範囲内となるように制限するので、主要被写体のブレ量が多く変倍比率を大きくしすぎることなく、合成画像が不自然な絵柄となることを回避できる。
【００８９】
更にまた、この撮像装置によれば、演算した変倍比率が所定の範囲内を超えている場合には、短時間露光画像の拡大又は長時間露光画像の縮小を禁止するので、主要被写体のブレ量が多く変倍比率を大きくしすぎることなく、合成画像が不自然な絵柄となることを回避できる。
【００９０】
更にまた、この撮像装置によれば、主要被写体の長時間露光画像内でのブレ量を打ち消すように変倍比率を演算するので、当該ブレ量を確実に打ち消した合成画像を作成することができ、確実に鮮明な主要被写体及び背景を含む合成画像を作成できる。
【００９１】
また、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００９２】
【図１】本発明を適用した撮像装置の機能的な構成を示すブロック図である。
【図２】本発明を適用した撮像装置のハードウェア的な構成を示すブロック図である。
【図３】本発明を適用した撮像装置による画像処理を説明する図であり、（ａ）は短時間露光画像、（ｂ）は主要被写体の抽出画像、（ｃ）は主要被写体の拡大画像、（ｄ）は合成画像である。
【図４】本発明を適用した撮像装置における全体処理を示すフローチャートである。
【図５】本発明を適用した撮像装置による夜間被写体ブレ修正撮影モードの処理手順を示すフローチャートである。
【図６】本発明を適用した撮像装置による合成処理の処理手順を示すフローチャートである。
【図７】本発明を適用した撮像装置において設定されているしきい値を示す図である。
【図８】本発明を適用した撮像装置によって撮像された（ａ）短時間露光画像、（ｂ）長時間露光画像を示す図である。
【図９】本発明を適用した撮像装置における他の合成処理の処理手順を示すフローチャートである。
【図１０】従来の画像処理について説明する図である。
【符号の説明】
【００９３】
１  ＣＣＤ
２  撮像処理部
３  ＤＲＡＭ
４  画像処理部
５  外部メモリ
１１  撮像光学系
１２  撮像部
１３  撮像処理部
１４  メモリーカード
１５  制御部
１６  キー入力部
１６ａ  シャッター釦
１６ｂ  メニュー釦
１６ｃ  移動釦
１６ｄ  決定釦
１７  プログラムメモリ
１８  データメモリ
１９  画像圧縮部
２０  メイン表示処理部
２１  メイン表示部
２２  発光制御部
２３  内蔵発光駆動部
２４  内蔵発光部
【図１】
2010081244.tif 000003
【図２】
2010081244.tif 000004
【図３】
2010081244.tif 000005
【図４】
2010081244.tif 000006
【図５】
2010081244.tif 000007
【図６】
2010081244.tif 000008
【図７】
2010081244.tif 000009
【図８】
2010081244.tif 000010
【図９】
2010081244.tif 000011
【図１０】
2010081244.tif 000012